(57)【要約】【課題】根管長測定針を測定針クリップホルダで保持し、該測定針クリップホルダを持って（つまり、患者の口腔外で）測定針を上下動させて根管の拡大作業を可能とした。【解決手段】根管長測定針１の把持部１ｃが挿入される筒状のヘッド部１４と、該ヘッド部１４の軸方向に対して直角の方向に延長するホルダ筒１１と、該ホルダ筒１１内に挿通され、先端部に根管長測定針１の針部１ａをクリップする測定電極６ａを有する測定電極線６と、測定電極線６をホルダ筒１４内で前後動可能に支持するスプリング部材１３とから成る。スプリング部材１３を押圧して根管長測定針１の把持部１ｃをヘッド部１４に挿入し、スプリング部材１３の押圧力を開放して根管長測定針１の針部１ａを測定電極６ａによってクリップして固定する。【選択図】図１
2012024480.tif 000002
【特許請求の範囲】
【請求項１】
根管長測定針の把持部が挿入される筒状のヘッド部と、該ヘッド部の軸方向に対して直角の方向に延長するホルダ筒と、該ホルダ筒内に挿通され、先端部に前記根管長測定針の針部をクリップする測定電極を有する測定電極線と、前記測定電極線を前記ホルダ筒内で前後動可能に支持するスプリング部材とから成り、該スプリング部材を押圧して前記ヘッド部に前記根管長測定針の把持部を挿入し、前記スプリング部材の押圧力を開放して前記根管長測定針の針部を前記測定電極線の先端部に設けられた測定電極によってクリップするようにしたことを特徴とするペンホルダタイプの歯科用根管長測定具。
【請求項２】
根管長測定針の頭部が挿通される筒状のヘッド部と、該ヘッド部の軸方向に対して直角の方向に延長するホルダ筒と、該ホルダ筒内に挿通され、先端部に前記根管長測定針の頭部をクリップする測定電極を有する測定電極線と、前記測定電極線を前記ホルダ筒内で前後動可能に支持するスプリング部材とから成り、該スプリング部材を押圧して前記ヘッド部に前記根管長測定針の頭部を挿入し、前記スプリング部材の押圧力を開放して前記根管長測定針の前記頭部を前記測定電極線の先端部に設けられた前記測定電極によってクリップするようにしたことを特徴とするペンホルダタイプの歯科用根管長測定具。
【請求項３】
前記測定電極と前記根管長測定針とは電気的に導通することを特徴とする請求項２に記載の歯科用根管長測定具。
【請求項４】
前記根管長測定針は、前記頭部において周方向に所定幅の溝を有し、前記測定電極線の前記測定電極は前記溝に係合する幅を有するフック形状であることを特徴とする請求項２又は３に記載の歯科用根管長測定具。
【請求項５】
前記ヘッド部の頂部は有底に構成され、前記測定針が前記ヘッド部に挿入された時、該測定針の頂部が前記底に当接した状態で、前記測定電極が前記溝に係合することを特徴とする請求項４に記載の歯科用根管長測定具。
【発明の詳細な説明】
【技術分野】
【０００１】
本発明は、根管治療の際に行われる根管長測定において、根管長測定針（ファイル又はリーマ）の頭部を測定針クリップホルダにてクリップして固定し、該測定針クリップホルダを持って、根管長を測定しながら、根管拡大もできるようにしたペンホルダタイプの歯科用根管長測定具に関する。
【背景技術】
【０００２】
根管治療においては、根管治療に際し、根管長測定針を根管内に挿入し、その先端が根尖孔の位置に到達したことを検知し、その状態で、根管長測定針に挿通されたストッパの位置を歯冠に当接させ、その状態で根管長測定針を根管から引き出し、物差し等を用いて、根管長測定針の先端から前記ストッパまでの長さ（根管長）を計測して根管長を求めている。
【０００３】
図３は、従来の根尖孔位置検出装置の一例を説明するための要部構成図で、図中、１は根尖孔位置（又は根管長）測定針（リーマ又はファイル）、２は根尖孔位置（又は根管長）を測定しようとする歯牙、３は根管、４は測定針１に軸方向に移動可能に設けられたストッパ、５は口唇、６ａは測定針１をクリップする測定電極、７は測定電極６ａに対する対向電極、８は測定電極６ａに連通する測定電極用リード線、９は口唇５に引っかけられた対向電極７に連通する対向電極用リード線、１０は先端部に前記電極６ａを有する測定電極線６（図５参照）を収納した測定針クリップホルダ、２０は前記リード線８，９が接続された根管長測定器、２１は根尖孔位置検出表示部で、周知のように、測定針（ファイル又はリーマ）１に測定電極６ａを接触させた状態で、測定針１を根管３内に挿入していった時の根尖孔位置検出表示部２１の指針位置より測定針１の先端が根尖孔位置に達したことを知り、その状態でストッパ４を歯牙２の歯冠に当たる位置まで動かし、その状態で測定針１を口腔外に取り出し、物差しで該測定針１の先端からストッパ４までの長さを測定するものである（例えば、特許文献１参照）。表示部２１は、例えば、ＬＥＤ，液晶等で構成され、ＡＰＥＸ（根尖孔位置），Ｗ．Ｌ（作業長：根管長）が表示され、根管長測定針１の先端が根尖孔位置に達した時に、アラーム等が鳴るようになっている。（なお、根尖孔位置を電気的に検出する方法としては、特許文献２をはじめ、多数の公報が公開されているので、その詳細については省略する）。
【０００４】
図４は、図３に示した測定針クリップホルダ１０の使用例を説明するための図、図５は、図４に示した測定針クリップホルダ１０の断面構成図で、図中、１０はリーマ又はファイル等の根管長測定針１を測定電極６ａと協働してクリップする先端部を有する測定針クリップホルダで、周知のように、根管長測定針１は、導電性の針部材１ａ，刃部１ｂ，把持部１ｃ等から成り、リーマ又はファイルから成る測定針１を用いて根管を拡大しながら根管長を測定できるもので、根管長を測定する場合、ラバーストッパ４と把持部１ｃの間を測定電極６ａで保持し、測定針１を電気的根管長測定の際の一方の電極の信号取り付け部としている。この電気的な根管長の測定により、根管長が検出できたら、ラバーストッパ４を移動させて、根管長を測定針１のラバーストッパ４の位置に移して読んでいた。
【０００５】
測定電極線６は、図５に示すように、絶縁性のホルダ筒１１内に挿通され、その端部は、機械的には、押圧部材１２に固定され、電気的にはリード線８に接続され、該リード線８を通して図３に示した根管長（根尖位置）測定器２０に導かれている。一方、ホルダ筒１１の端部１１ａは大径に形成され、この大径部１１ａ内にスプリング１３が挿入されている。従って、押圧部材１２を矢別Ａ方向に押すと、スプリング１３が圧縮され、測定電極線６が矢印Ａ′方向に移動し、従って、ホルダ筒１１の先端部１１ｂと測定電極線６の先端の電極部６ａとの間に測定針１を挿入することができ、押圧部材１２の押圧力を解除すると、測定電極線６は、スプリング１３の復元力によって矢印Ｂ′方向に移動し、従って、図４に示したように、ホルダ筒１１の先端部１１ｂと測定電極線６の測定電極６ａとの間に測定針１を狭持（クリップ）することができる。
【先行技術文献】
【特許文献】
【０００６】
【特許文献１】特開２００８−６８０１５号公報
【特許文献２】特公昭６２−２１８７号公報
【発明の概要】
【発明が解決しようとする課題】
【０００７】
上述のごとき根管長測定を行うに際し、測定針としてリーマ、ファイル等を用いて、測定針１の把持部１ｃを親指と人差し指で持って該測定針を上下に動かして根管の拡大等の作業も行うが、その場合に、術者の指が患者の口腔内に入り、あまり衛生的でなく、また、作業がしにくい等の問題があった。
【０００８】
本発明は、上述のごとき実情に鑑みてなされたもので、根管長測定針を測定針クリップホルダで保持し、該測定針クリップホルダを持って（つまり、患者の口腔外で）測定針を上下動させて根管の拡大作業をすることを可能とし、もって、より衛生的にかつ効果的に根管の拡大作業ができるようにした根管長測定具を提供できるようにしたものである。
【課題を解決するための手段】
【０００９】
上記課題を解決するために、請求項１の発明は、根管長測定針の把持部が挿入される筒状のヘッド部と、該ヘッド部の軸方向に対して直角の方向に延長するホルダ筒と、該ホルダ筒内に挿通され、先端部に前記根管長測定針の針部をクリップする測定電極を有する測定電極線と、前記測定電極線を前記ホルダ筒内で前後動可能に支持するスプリング部材とから成り、該スプリング部材を押圧して前記ヘッド部に前記根管長測定針の把持部を挿入し、前記スプリング部材の押圧力を開放して前記根管長測定針の針部を前記測定電極線の先端部に設けられた測定電極によってクリップするようにしたことを特徴としたものである。
【００１０】
請求項２の発明は、根管長測定針の頭部が挿通される筒状のヘッド部と、該ヘッド部の軸方向に対して直角の方向に延長するホルダ筒と、該ホルダ筒内に挿通され、先端部に前記根管長測定針の頭部をクリップする測定電極を有する測定電極線と、前記測定電極線を前記ホルダ筒内で前後動可能に支持するスプリング部材とから成り、該スプリング部材を押圧して前記ヘッド部に前記根管長測定針の頭部を挿入し、前記スプリング部材の押圧力を開放して前記根管長測定針の前記頭部を前記測定電極線の先端部に設けられた測定電極によってクリップするようにしたことを特徴としたものである。
【００１１】
請求項３の発明は、請求項２の発明において、前記測定電極と前記根管長測定針とは電気的に導通することを特徴としたものである。
【００１２】
請求項４の発明は、請求項２又は３の発明において、前記根管長測定針は、前記頭部において周方向に所定幅の溝を有し、前記測定電極線の前記測定電極は前記溝に係合する幅を有するフック形状であることを特徴としたものである。
【００１３】
請求項５の発明は、請求項４の発明において、前記ヘッド部の頂部は有底に構成され、前記測定針が前記ヘッド部に挿入された時、該測定針の頂部が前記底に当接した状態で、前記測定電極が前記溝に係合することを特徴としたものである。
【発明の効果】
【００１４】
本発明によると、ファイル、リーマ等からなる根管長測定針を測定針クリップホルダに固定し、該測定針クリップホルダを手に持って、つまり患者の口腔外から、測定針を上下動させて根管の拡大作業等を行うことができるので、より衛生的に根管長測定及び根管拡大を行うことができる。
【図面の簡単な説明】
【００１５】
【図１】本発明による根管長測定用針クリップホルダの一例を説明するための図である。
【図２】本発明による根管長測定用針クリップホルダの他の例を説明するための図である。
【図３】従来の根尖孔位置検出装置の一例を説明するための要部構成図である。
【図４】図３に示した測定針クリップホルダ１０の使用例を説明するための図である。
【図５】図４に示した測定針クリップホルダ１０の断面構成図である。
【発明を実施するための形態】
【００１６】
図１は、本発明による根管長測定具の一実施例を説明するための構成図で、図中、図３乃至図５に示した従来の根管長測定装置と同様の作用をする部分には、同一の参照番号が付してある。図１において、１０は、図３乃至図５に示した測定針クリップホルダ１０と同様の機能を有する測定針クリップホルダで、図１（Ａ）に示すように、本発明においては、該測定針クリップホルダ１０（ホルダ筒１１）の先端には、筒状のヘッド部１４を有し、該ヘッド部１４には軸（縦）方向に切り欠き部１４’を有し、該切り欠き部１４’を通して該ヘッド部１４内に従来より使用されている根管長測定針（ファイル又はリーマ）１の把持部１ｃが挿入され、前述のように、導電性の針部１ａが測定電極６ａによってクリップされる。
【００１７】
図１（Ｂ）は、図１（Ａ）に示した根管長測定針クリップホルダ１０の先端部の上面形状を拡大して示す図、図１（Ｃ）は、図１（Ｂ）に示したヘッド部１４内において電極部６ａが測定針１の針部１ａをクリップしている状態を示す断面図で、根管長測定針クリップホルダ１０の筒状ヘッド部１４内には、測定電極線６の先端部である測定電極６ａが延出しており、前述の従来技術と同様、押圧板１２を押すことによって、該ヘッド部１４内に切り欠き部１４’を通して測定針１の把持部を挿入することができ、挿入した状態で、押圧板１２を押圧する力を解放すると、測定電極６ａがスプリング１３によって引き戻され、測定針１の針部１ａが該測定電極６ａによってクリップされる。
【００１８】
図２は、本発明による根管長測定具の他の実施例を説明するための構成図で、図中、図３乃至図５に示した従来の根管長測定装置と同様の作用をする部分には、同一の参照番号が付してある。図２において、１０は、図３乃至図５に示した測定針クリップホルダ１０と同様の機能を有する測定針クリップホルダで、図２（Ａ）に示すように、本発明においては、該測定針クリップホルダ１０（ホルダ筒１１）の先端には、筒状のヘッド部１４を有し、該ヘッド部１４内に根管長測定針（ファイル又はリーマ）１の頭部１’が挿入され、支持・固定されるようになっている。この実施例においては、根管長測定針１は、頭部１’も導電性の金属部材で構成され、該頭部１’の周方向には前述の測定電極６ａが係合される溝１1が設けられている。
【００１９】
図２（Ｂ）は、図２（Ａ）に示した根管長測定針クリップホルダ１０の断面形状を示す図、図２（Ｃ）は、図２（Ｂ）に示したヘッド部１４内において測定針１をクリップしている状態を示す断面図で、根管長測定針クリップホルダ１０の筒状ヘッド部１４内には、測定電極線６の先端部である測定電極６ａが延出しており、前述の従来技術と同様、押圧板１２を押すことによって、該ヘッド部１４内に測定針１の頭部１’を挿入することができ、押入した状態で、押圧板１２を押圧する力を解放すると、測定電極６ａがスプリング１３によって引き戻され、測定針１がクリップされる。
【００２０】
この時、測定電極６のクリップ部６ａの幅Ａと測定針１の溝１１の幅Ａとを略同じにしておき、測定針１をヘッド部１４に挿入した時に、クリップ部６ａが溝１１内に係合するようにしておけば、測定針１をより堅固にクリップすることができ、根管拡大作業に際し、測定針１がぐらつくようなことはなく、効果的に根管拡大作業を行うことができる。また、根管測定針１の頂部から溝１１までの長さＢを、ヘッド部１４の上部底板１４１から測定電極６ａの上部までの長さＢに合せておくことにより、測定針１をヘッド部１４の底板１４１に突き当るまで挿入した時に、測定針１の溝１１と測定電極６ａとが自動的に位置合せされ、測定針１の測定針クリップホルダ１０への装着作業が非常に楽になる。
【符号の説明】
【００２１】
１…根管長測定針、２…歯牙、３…根管、４…ストッパ、６…測定電極線、６ａ…測定電極、１０…測定針クリップホルダ、１１…測定針ホルダ筒、１２…押圧部材、１３…スプリング、１４…測定針の把持部又は頭部が挿入される筒状のヘッド部。
【図１】
2012024480.tif 000003
【図２】
2012024480.tif 000004
【図３】
2012024480.tif 000005
【図４】
2012024480.tif 000006
【図５】
2012024480.tif 000007